(57)【要約】【課題】穿孔速度が速く、きれいに穿孔することができる木工用ドリルを提供する。【解決手段】本発明に係る木工用ドリルは、螺旋状のドリル本体１の先端にドリル本体１を先方に誘導する先ネジ２を備えるとともに、外周位置から中心に向けた掬い刃３と、ドリル本体１の外周位置に罫書き刃４を備える。螺旋状のドリル本体１の先端に配置する先ネジ２に複数条の螺旋を形成し、被加工物に対する引き込み速度を大きくし、迅速に穿孔することができるようにする。このとき、ドリル本体１を複数の螺旋1a，1b，1cで構成し、先ネジ２にドリル本体１と同じ条数の螺旋2a，2b，2cを形成するのが好ましい。【選択図】  図１
2007296684.tif 000002
【特許請求の範囲】
【請求項１】
螺旋状のドリル本体の先端に、ドリル本体を先方に誘導する先ネジを備えるとともに、
外周位置から中心に向けて掬い刃と、ドリル本体の外周位置に罫書き刃を備えた木工用ドリルにおいて、先ネジに複数条の螺旋を形成したことを特徴とする木工用ドリル。
【請求項２】
複数条の螺旋を形成したドリル本体の先端に、ドリル本体を先方に誘導する先ネジを備えるとともに、複数の螺旋のそれぞれ先端部分に外周位置から中心に向けて掬い刃を備えた木工用ドリルにおいて、先ネジにドリル本体と同じ条数の螺旋を形成したことを特徴とする請求項１記載の木工用ドリル。
【発明の詳細な説明】
【技術分野】
【０００１】
この発明は、螺旋状のドリル本体の先端に掬い刃を形成し、ドリル本体の先端中心位置に、ドリル本体を先方に誘導する先ネジを突出させた木工用ドリルに関する発明である。
【背景技術】
【０００２】
木工用ドリルは、通常電動ドリルなどの回転駆動装置に装着して穿孔作業に利用する。先ネジによって穿孔の位置決めを行うとともに、先ネジの螺旋によってドリル本体を先方へ誘導し、掬い刃によって穿孔を行うことができるようにしている。この際、被加工物である木質材料では、一定方向の繊維が存在するため、ドリル本体の外周先端に突出させた、ナイフ状の罫書き刃によって円形に罫書いて繊維を切断し、その内方を掬い刃によって切除することで正確な円形孔を穿孔している。すなわち、木工用ドリルの穿孔速度は、先ネジによる引き込みの速度に大きく依存している。
【０００３】
回転駆動装置に木工用ドリルを装着して穿孔作業を行う場合、作業の目的、用途によってはゆっくりと穿孔し、途中で穿孔作業を停止させるような場合がある。このような目的に対して先ネジによる引き込み力を弱くする思想が特許文献１に開示されている。
また、ドリル本体に複数条の螺旋、具体的には三条の螺旋を形成して、バランスよく正確な孔を穿孔する木工用ドリルの思想が特許文献２に開示されている。
【特許文献１】特開２００２−２１０７０８号公報
【特許文献２】特開２００４−１０６３９３号公報
【発明の開示】
【発明が解決しようとする課題】
【０００４】
従来の一般的な木工用ドリルでは、一条の先ネジによってドリル本体を引き込み、穿孔作業を行っている。そのため、穿孔の目的や作業条件によっては、穿孔速度が速すぎる場合と遅すぎる場合がある。遅い速度で穿孔するためには、特許文献１に開示したような構造の先ネジ構造を採用することができるが、従来技術では、より高速で能率的に穿孔することはできなかった。
【０００５】
上記従来技術の欠点に鑑み、本発明は、より能率的に穿孔作業を行うことができるとともに、バランス良くドリル本体を被切削物に引き込んで、安定よく正確な孔の穿孔作業を行うことができる木工用ドリルを提供することを目的とするものである。
【課題を解決するための手段】
【０００６】
請求項１記載の発明は、螺旋状のドリル本体１の先端に、ドリル本体１を先方に誘導する先ネジ２を備え、外周位置から中心に向けて掬い刃３と、ドリル本体１の外周位置に罫書き刃４を備えた木工用ドリルにおいて、先ネジ２に複数条の螺旋を形成する。
【０００７】
請求項２の発明は、複数条の螺旋1a，1b，1cを形成したドリル本体１の先端に、ドリル本体１を先方に誘導する先ネジ２を備え、複数の螺旋1a，1b，1cのそれぞれ先端部分に外周位置から中心に向けて掬い刃３，３を備え、先ネジ２にドリル本体１と同じ条数の螺旋2a，2b，2cを形成したものである。
【発明の効果】
【０００８】
請求項１記載の本発明木工用ドリルによれば、先ネジ２の誘導によってドリル本体１がより速く引き込まれ、迅速に穿孔が進行する。すなわち、先ネジ２に複数条の螺旋2a，2b，2cを形成することによって螺旋のピッチＰが大きくなり、ドリル本体１の回転によって引き込み量が多くなり、より迅速に穿孔することができる。
【０００９】
請求項２記載の発明によれば、ドリル本体１自体を複数条の螺旋、例えば三条の螺旋1a，1b，1cで構成して螺旋1a，1b，1cの先端にそれぞれ掬い刃３，３を形成するとともに、先ネジ２の螺旋をドリル本体１の螺旋と同じ条数(例えば三条)の螺旋2a，2b，2cとすることによって、先ネジ２による引き込み力と掬い刃による切削力が、バランスよく安定した状態で穿孔することができる。このことは、ドリル本体の振れが防止され、きれいな孔を迅速に穿孔できることを意味する。
【発明を実施するための最良の形態】
【００１０】
以下、本発明に係る木工用ドリルの好ましい実施形態を、添付の図面に基づいて説明する。
図１は、本発明の実施形態を示す木工用ドリルの、先端部分のみの拡大図、図２は木工用ドリル全体の正面図、図３は図２の先端部分のみの拡大図、図４は図３のIV―IV線断面図である。
【００１１】
図示例の木工用ドリルは、三条の螺旋1a，1b，1cで形成する螺旋状のドリル本体１の先端中心位置に、木ネジ状の先ネジ２を形成するとともに、螺旋1a，1b，1cの先端には外周位置から中心に向けて、それぞれ掬い刃３，３，３を形成している。ドリル本体１の先端外周部分には、各螺旋の外周面の一部を先方に延長する態様で、罫書き刃４，４，４を形成している。
【００１２】
ドリル本体１の先端中心位置に配置される先ネジ２には、ドリル本体１の螺旋と同じように三条の螺旋2a，2b，2cを形成している。したがって、一条の螺旋に比較して螺旋ピッチＰが３倍となり、ドリル本体１の一回転について、一条の先ネジ場合の場合に比較して、三倍の速さで先方に送り出される。すなわち、被加工物に迅速に引き込まれる。このとき、掬い刃には、通常の一条である先ネジの場合に比較して三倍の切削抵抗が掛かることになるが、ドリル本体１そのものが三条の螺旋で形成されているため、三つの掬い刃３，３，３に分散される。
【００１３】
上記したように、上記実施形態の木工用ドリルでは、ドリル本体１が一条の先ネジのものに比較して、三倍の速さで穿孔のための切り込みが行われることになるが、三つの掬い刃に分担されて切削作業が行われ、掬い刃の食い込みや過負荷状態になることが防止される。勿論、掬い刃による切削が円滑に行なわれるものであれば、先ネジ２の条数とドリル本体１の条数を一致させる必要はないが、複数の掬い刃に適当な切削量を分担させる意味から、先ネジ２にドリル本体１と同じ条数の螺旋2a，2b，2cを形成するのが好ましい。
【００１４】
木工用ドリルによって木材を穿孔する場合、木材の木目の乱れや節の存在によって、先ネジ２による誘導方向が曲がり易い場合がある。このような場合に、例えば図４に示すように三条の螺旋2a，2b，2cを備えた先ネジ２と、三条の螺旋1a，1b，1cや掬い刃３を備えたドリル本体１の組み合わせであると、切削抵抗が三方に分散するため安定がよく、条件の悪い被加工物に正確できれいな孔を迅速に穿孔することができる。
【００１５】
ドリル本体１を被加工物に引き込む速度は、先ネジ２の螺旋のピッチに依存するわけであるが、所望の切削速度に合ったピッチを設定して複数条の螺旋を形成する、すなわち目の細かな螺旋とすることによってドリル本体の引き込み速度を設定することができる。
【図面の簡単な説明】
【００１６】
【図１】図１は、本発明の実施形態を示す木工用ドリルの、先端部分のみの拡大図、
【図２】図２は、木工用ドリル全体の正面図、
【図３】図３は、図２の先端部分のみの拡大図、
【図４】図４は、図３のIV―IV線断面図である。
【符号の説明】
【００１７】
１…ドリル本体、  1a，1b，1c…螺旋、  ２…先ネジ、  2a，2b，2c…螺旋、  ３…掬い刃、  ４…罫書き刃。
【図１】
2007296684.tif 000003
【図２】
2007296684.tif 000004
【図３】
2007296684.tif 000005
【図４】
2007296684.tif 000006